(57)【要約】【課題】効率的な広告を配信するためのサーバ、情報処理方法、またはネットワークシステムを提供する。【解決手段】通信端末３００と通信するための通信インターフェイス１６０と、通信インターフェイス１６０を介して取得した通信端末３００に入力された商品に基づいて、広告のための出力方法を選択するためのプロセッサ１１０と、を備えるサーバ１００が提供される。【選択図】図１
2019133413.tif 000002
【特許請求の範囲】
【請求項１】
通信端末と通信するための通信インターフェイスと、
前記通信インターフェイスを介して取得した前記通信端末に入力された商品に基づいて、広告のための出力方法を選択するためのプロセッサと、を備えるサーバ。
【請求項２】
前記出力方法は、広告を出力するための電気機器の種類を含む、請求項１に記載のサーバ。
【請求項３】
前記出力方法は、広告を出力するための期間を含む、請求項１または２に記載のサーバ。
【請求項４】
前記出力方法は、広告を出力するためのトリガーを含む、請求項１から３のいずれか１項に記載のサーバ。
【請求項５】
前記出力方法は、ユーザ毎に設定される、請求項１から４のいずれか１項に記載のサーバ。
【請求項６】
前記プロセッサは、前記通信端末に入力された商品に基づいて、広告のための出力方法を複数選択し、前記通信インターフェイスを介して前記通信端末に前記複数の出力方法を選択可能に提示する、請求項１から５のいずれか１項に記載のサーバ。
【請求項７】
前記プロセッサは、前記通信端末による過去の選択結果に基づいて、前記通信端末毎に前記広告のための出力方法を１または複数選択する、請求項６に記載のサーバ。
【請求項８】
通信インターフェイスを介して通信端末から商品の指定を受信するステップと、
プロセッサが、前記指定された商品に基づいて広告のための出力方法を選択するステップと、を備えるサーバにおける情報処理方法。
【請求項９】
電気機器を遠隔制御するための第１のサーバと、
商品の入力を受け付けるための通信端末と、
前記通信端末に入力された前記商品に基づいて広告のための出力方法を選択し、前記第１のサーバを介して、選択された出力方法によって前記電気機器に広告を出力させる第２のサーバと、を備えるネットワークシステム。
【請求項１０】
通信端末が商品の入力を受け付けるステップと、
第１のサーバが、前記通信端末に入力された前記商品に基づいて広告のための出力方法を選択するステップと、
第２のサーバが、選択された出力方法によって電気機器に前記広告を出力させるステップと、を備える情報処理方法。
【発明の詳細な説明】
【技術分野】
【０００１】
本発明は、広告配信のための技術に関する。
【背景技術】
【０００２】
従来から、ネットワーク通信を利用した広告の配信に関する技術が知られている。たとえば、特開２０１７−１５１７１８号公報（特許文献１）には、発話制御装置、機器、および、発話制御装置の制御方法が開示されている。特許文献１によると、発話制御装置は、機器の稼働状況を示す稼働ログを分析して、該機器を使用するユーザの繁忙度を判定する判定部と、判定された繁忙度に応じて、上記機器に出力させる音声データの出力タイミングを上記機器に対して指示する出力制御部とを備える。
【先行技術文献】
【特許文献】
【０００３】
【特許文献１】特開２０１７−１５１７１８号公報
【発明の概要】
【発明が解決しようとする課題】
【０００４】
本発明の目的は、効率的な広告を配信するためのサーバ、情報処理方法、またはネットワークシステムを提供することにある。
【課題を解決するための手段】
【０００５】
この発明のある態様に従うと、通信端末と通信するための通信インターフェイスと、通信インターフェイスを介して取得した通信端末に入力された商品に基づいて、広告のための出力方法を選択するためのプロセッサと、を備えるサーバが提供される。
【発明の効果】
【０００６】
以上のように、本発明によれば、効率的な広告を配信するためのサーバ、情報処理方法、またはネットワークシステムが提供される。
【図面の簡単な説明】
【０００７】
【図１】第１の実施の形態にかかるネットワークシステム１の全体構成と動作概要とを示すイメージ図である。
【図２】第１の実施の形態にかかるサーバ１００の構成を示すブロック図である。
【図３】第１の実施の形態にかかるユーザ状態データ１２１を示すイメージ図である。
【図４】第１の実施の形態にかかるジャンルデータ１２２を示すイメージ図である。
【図５】第１の実施の形態にかかる機種データ１２３を示すイメージ図である。
【図６】第１の実施の形態にかかる機器データ１２４を示すイメージ図である。
【図７】第１の実施の形態にかかるサーバ１００の情報処理を示すフローチャートである。
【図８】第１の実施の形態にかかる電気機器２００の構成を示すブロック図である。
【図９】第１の実施の形態にかかる通信端末３００の構成を示すブロック図である。
【図１０】第２の実施の形態にかかるジャンルデータ１２２Ｂを示すイメージ図である。
【図１１】第２の実施の形態にかかるサーバ１００の情報処理を示すフローチャートである。
【図１２】第２の実施の形態にかかる通信端末３００の画面例を示すイメージ図である。
【図１３】第３の実施の形態にかかるユーザ状態データ１２１Ｂを示すイメージ図である。
【図１４】第３の実施の形態にかかるユーザ個別データ１２５を示すイメージ図である。
【図１５】第４の実施の形態にかかる店舗側個別データ１２６を示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成＞
【０００９】
まず、図１を参照して、本実施の形態にかかるネットワークシステム１の全体構成について説明する。本実施の形態にかかるネットワークシステム１は、主に、家電制御サーバ１００Ａと、広告の出力方法を選択するためのマッチングサーバ１００Ｂと、メーカや小売店舗などから広告を受け付ける広告サーバ１００Ｃと、冷蔵庫２００Ａや電子レンジ２００Ｂや洗濯機２００Ｃやエアコン２００Ｄなどの電気機器と、パーソナルコンピュータ３００Ａやタブレット３００Ｂなどの通信端末などを含む。
【００１０】
なお、電気機器は、冷蔵庫２００Ａや電子レンジ２００Ｂや洗濯機２００Ｃやエアコン２００Ｄに限らず、自走式掃除機や炊飯器などの家電、テレビ、ハードディスクレコーダ、音楽プレーヤー、プロジェクタなどのＡＶ（オーディオ・ビジュアル）機器、太陽光発電機、インターホン、給湯器などの住宅設備、などであってもよい。なお、以下ではこれらを総称して電気機器２００ともいう。
【００１１】
また、通信端末も、パーソナルコンピュータ３００Ａやタブレット３００Ｂに限らず、データが入力可能な他の通信装置であってもよい。なお、以下では、これらを総称して通信端末３００ともいう。
＜ネットワークシステム１の動作概要＞
【００１２】
本実施の形態にかかるネットワークシステム１においては、家電制御サーバ１００Ａが、各家庭の電気機器２００から各種のログデータを取得する。たとえば、ユーザ操作命令や予約命令や実際に実行された動作などが家電制御サーバ１００Ａに蓄積されていく。
【００１３】
マッチングサーバ１００Ｂは、当該ログデータを取得して、意義のある情報へ変換する。たとえば、冷蔵庫２００Ａが開閉される履歴に基づいてユーザが料理をすることが多い時間帯を特定したり、エアコン２００Ｄの人感センサからのデータに基づいてユーザが在宅である可能性が高い時間帯やユーザが不在である可能性が高い時間帯を特定したり、テレビの操作履歴に基づいてユーザの好きなジャンルやユーザの年齢層や性別などを特定したりする。
【００１４】
店舗の管理者などは、通信端末３００を利用して所望の商品の広告を広告サーバ１００Ｃに送信する。広告には、商品やサービスやそれらのジャンルや広告用のテキストや画像などが含まれる。広告サーバ１００Ｃは、当該広告を受け付けてマッチングサーバ１００Ｂに送信する。
【００１５】
マッチングサーバ１００Ｂは、受け付けた広告に基づいて、広告の対象となる商品やサービスに対応する広告の出力方法を選択する。たとえば、マッチングサーバ１００Ｂは、商品やサービスやジャンルに適した広告の出力すべき時間帯やタイミングや、広告を出力すべき電気機器２００などの組み合わせを出力方法として選択する。後述するように、マッチングサーバ１００Ｂは複数の出力方法を通信端末３００に選択可能に提示してもよい。
【００１６】
マッチングサーバ１００Ｂは、選択された出力方法と広告自体とを家電制御サーバ１００Ａに送信する。家電制御サーバ１００Ａは、指定された出力方法によって当該広告を電気機器２００に音声や映像によって出力させる。
【００１７】
このように、本実施の形態においては、商品やサービスに対応する出力方法にて広告が出力される。以下、このような機能を実現するためのネットワークシステム１の具体的な構成について詳述する。
＜サーバ１００の構成＞
【００１８】
図２を参照して、本実施の形態にかかるネットワークシステム１を構成するサーバ１００の構成の一態様について説明する。サーバ１００は、主たる構成要素として、ＣＰＵ１１０と、メモリ１２０と、操作部１４０と、通信インターフェイス１６０などを含む。
【００１９】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００２０】
メモリ１２０は、各種のＲＡＭ、各種のＲＯＭなどによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、その他の本実施の形態にかかる家電管理サービスに利用されるデータベースなどを記憶する。たとえば、マッチングサーバ１００Ｂのメモリ１２０は、ユーザ状態データ１２１、ジャンルデータ１２２、機種データ１２３、機器データ１２４などを記憶する。
【００２１】
ユーザ状態データ１２１は、図３に示すように、ユーザの各種の状態毎に、状態ＩＤ、ユーザ状態の名称、広告を出力するのに適した時間帯、広告を出力するのに適した電気機器２００の種類などが登録されている。
【００２２】
ジャンルデータ１２２は、図４に示すように、広告の対象となる商品やサービスが属するジャンル毎に、広告を出力するのに適した電気機器２００の種類や、広告を出力するのに適したユーザ状態などが登録されている。なお、メモリ１２０は、ジャンルと商品やサービスとの対応関係も記憶しておくことが好ましい。
【００２３】
機種データ１２３は、図５に示すように、電気機器２００の種類毎に、広告の出力を開始するのに適したトリガー（条件）などが登録されている。
【００２４】
機器データ１２４は、図６に示すように、ユーザによって登録された機器毎に、機器の識別情報と、ユーザの識別情報と、機器の種類と、機器のアドレスなどが登録されている。
【００２５】
図２に戻って、通信インターフェイス１６０は、ＣＰＵ１１０からのデータを、インターネット、キャリア網、ルータなどを介して、電気機器２００や他のサーバや通信端末３００などの他の装置に送信する。逆に、通信インターフェイス１６０は、インターネット、キャリア網、ルータなどを介して他の装置からのデータを受信して、ＣＰＵ１１０に受け渡す。
【００２６】
そして、本実施の形態にかかるマッチングサーバ１００Ｂは、広告サーバ１００Ｃから広告用のデータを受け付けると以下の処理を実行する。
【００２７】
図７を参照して、ＣＰＵ１１０は、受信したデータから広告の対象となる商品やサービスを特定し、商品やサービスのジャンルを特定する（ステップＳ１０２）。ＣＰＵ１１０は、ジャンルデータ１２２を参照して、当該ジャンルに適した広告の出力機器の種類を選択する（ステップＳ１０４）。次に、ＣＰＵ１１０は、ジャンルデータ１２２とユーザ状態データ１２１とを参照して、指定されたジャンルに適したユーザ状態と広告の出力に適した時間帯とを特定する（ステップＳ１０６）。
【００２８】
ＣＰＵ１１０は、機器データ１２４を参照して、登録されている機器のうち、広告の出力機器の種類に合致する機器を特定する（ステップＳ１１２）。ＣＰＵ１１０は、機種データ１２３を参照して、当該機器に適した広告の出力のトリガーを特定する（ステップＳ１１４）。ＣＰＵ１１０は、通信インターフェイス１６０を介して、広告の音声データや映像データと、広告の出力の時間帯と、広告の出力のトリガーなどを電気機器２００に送信する（ステップＳ１１６）。これによって、電気機器２００は、ジャンルに適した出力方法によって広告を音声および／または映像にて出力することができる。
＜電気機器２００の構成＞
【００２９】
図８を参照して、ネットワークシステム１を構成する電気機器２００の構成の一態様について説明する。本実施の形態にかかる電気機器２００は、主たる構成要素として、ＣＰＵ２１０と、メモリ２２０と、ディスプレイ２３０、操作部２４０と、通信インターフェイス２６０と、スピーカ２７０と、リモコン受信部２８０と、機器駆動部２９０とを含む。
【００３０】
ＣＰＵ２１０は、メモリ２２０あるいは外部の記憶媒体に記憶されているプログラムを実行することによって、電気機器２００の各部を制御する。
【００３１】
メモリ２２０は、各種のＲＡＭ、各種のＲＯＭなどによって実現される。メモリ２２０は、ＣＰＵ２１０によって実行されるプログラムや、ＣＰＵ２１０によるプログラムの実行により生成されたデータ、操作部２４０を介して入力されたデータ、リモコンから受信したデータ、ルータやインターネットを介してサーバ１００から受信したデータなどを記憶する。
【００３２】
ディスプレイ２３０は、ＣＰＵ２１０からの信号に応じて、画像やテキストを出力する。操作部２４０は、ボタンなどによって実現され、ユーザからの命令を受け付けて、当該命令をＣＰＵ２１０に入力する。なお、ディスプレイ２３０と操作部２４０とはタッチパネルを構成してもよい。
【００３３】
通信インターフェイス２６０は、有線通信あるいは無線通信によって他の装置との間でデータをやり取りする。すなわち、通信インターフェイス２６０は、ＣＰＵ２１０からのデータを受け付けて、当該データをサーバ１００などの他の装置に送信したり、逆に、通信インターフェイス２６０を制御することによって他の装置から各種のデータを受信してＣＰＵ２１０に入力したりする。
【００３４】
スピーカ２７０は、ＣＰＵ２１０からの信号に基づいて、各種音声や音やメロディーを出力する。
【００３５】
リモコン受信部２８０は、リモコンなどからの赤外線信号を検知して、ＣＰＵ２１０に受信信号を入力する。
【００３６】
機器駆動部２９０は、ＣＰＵ２１０からの信号に基づいて、電気機器の各部、たとえば圧縮機やファンやその他のモータやヒータなど、を制御する。
【００３７】
本実施の形態においては、電気機器２００のＣＰＵ２１０は、定期的に、あるいは操作命令を受け付けた際などに、操作命令や動作状態などを示す情報を家電制御サーバ１００Ａにアップロードする。そして、ＣＰＵ２１０は、家電制御サーバ１００Ａからの広告出力命令に基づいて、指定された時間帯であって、所定のトリガー条件が満たされた際に、指定された広告テキストをスピーカ２７０から音声出力させたり、指定された広告テキストや広告の画像をディスプレイ２３０から映像で出力させたりする。
＜通信端末３００の構成＞
【００３８】
図９を参照して、本実施の形態にかかる通信端末３００などの通信端末の構成の一態様について説明する。通信端末３００は、主たる構成要素として、ＣＰＵ３１０と、メモリ３２０と、ディスプレイ３３０と、操作部３４０と、通信インターフェイス３６０と、スピーカ３７０と、マイク３８０などを含む。
【００３９】
ＣＰＵ３１０は、メモリ３２０に記憶されているプログラムを実行することによって、通信端末３００の各部を制御する。
【００４０】
メモリ３２０は、各種のＲＡＭや各種のＲＯＭなどによって実現される。メモリ３２０は、ＣＰＵ３１０によって実行されるプログラムたとえば広告入力用のアプリケーションプログラムや、ＣＰＵ３１０によるプログラムの実行により生成されたデータ、入力されたデータ、その他の本実施の形態にかかる広告配信サービスに利用されるデータベースなどを記憶する。
【００４１】
ディスプレイ３３０は、ＣＰＵ３１０からの信号に基づいて、テキストや画像を表示する。操作部３４０は、ユーザなどの命令を受け付けて、当該命令をＣＰＵ３１０に入力する。たとえば、ＣＰＵ３１０は、広告配信用のアプリケーションプログラムに基づいて、ディスプレイ３３０に広告入力画面を表示して、操作部３４０を介して広告の入力を受け付ける。なお、ディスプレイ３３０と操作部３４０とはタッチパネルであってもよい。
【００４２】
通信インターフェイス３６０は、ＣＰＵ３１０からのデータを、インターネット、キャリア網、ルータなどを介して、広告サーバ１００Ｃなどの他の装置に送信する。逆に、通信インターフェイス３６０は、インターネット、キャリア網、ルータなどを介して当該他の装置からのデータを受信して、ＣＰＵ３１０に受け渡す。
【００４３】
スピーカ３７０は、ＣＰＵ３１０からのデータに基づいて音声を出力し、マイク３８０は音声を受け付けて音声データをＣＰＵ３１０に入力する。
＜第２の実施の形態＞
【００４４】
本実施の形態にかかるネットワークシステム１は、マッチングサーバ１００Ｂにおいて商品やサービスのジャンルに適した複数の出力方法を選択し、そのうちの１つを店舗側で選択してもらうものである。たとえば、マッチングサーバ１００Ｂのメモリ１２０は、図１０に示すようなジャンルデータ１２２Ｂを記憶する。すなわち、ジャンルデータ１２２は、ジャンル毎に、広告を出力するのに適した電気機器２００の種類や、広告を出力するのに適した複数のユーザ状態などが登録されている。
【００４５】
そして、本実施の形態においては、マッチングサーバ１００ＢのＣＰＵ１１０は、以下のような処理を実行する。図１１を参照して、ＣＰＵ１１０は、受信したデータから広告の対象となる商品を特定し、商品のジャンルを特定する（ステップＳ１０２）。ＣＰＵ１１０は、ジャンルデータ１２２を参照して、当該ジャンルに適した広告の出力機器の種類を選択する（ステップＳ１０４）。ＣＰＵ１１０は、複数の候補がある場合は、通信インターフェイス１６０を介して、通信端末３００に当該複数の候補を選択可能に表示させてもよい。
【００４６】
次に、ＣＰＵ１１０は、ジャンルデータ１２２を参照して、指定されたジャンルに適したユーザ状態を特定する（ステップＳ１０６）。ＣＰＵ１１０は、複数の候補がある場合は、通信インターフェイス１６０を介して、通信端末３００に当該複数の候補を選択可能に表示させる（ステップＳ１０８）。ＣＰＵ１１０は、通信端末３００から選択結果を受け付けると、ユーザ状態データ１２１を参照して、当該ジャンルに適した広告の出力時間帯を決定する（ステップＳ１１０）。
【００４７】
ＣＰＵ１１０は、機器データ１２４を参照して、現在サービスに登録されている機器のうち、広告の出力機器の種類に合致する機器を特定する（ステップＳ１１２）。ＣＰＵ１１０は、機種データ１２３を参照して、当該機器に適した広告の出力のトリガーを特定する（ステップＳ１１４）。ＣＰＵ１１０は、通信インターフェイス１６０を介して、広告の音声データや映像データと、広告の出力の時間帯と、広告の出力のトリガーなどを電気機器２００に送信する（ステップＳ１１６）。
【００４８】
すなわち、本実施の形態においては、たとえば、図１２（Ａ）に示すように、メーカや店舗の広告担当者などが、商品やジャンルを通信端末３００に入力すると、マッチングサーバ１００Ｂが広告の出力に相応しい複数の出力方法を選択する。マッチングサーバ１００Ｂから複数の出力方法を受信すると、通信端末３００のＣＰＵ３１０は、図１２（Ｂ）に示すように、複数の出力方法をディスプレイ３３０に選択可能に表示する。ＣＰＵ３１０は、そのうちの１つを選ぶ選択命令を受け付けると、選択されたユーザ状態を示す情報を通信インターフェイス３６０を介してマッチングサーバ１００Ｂに送信する。
【００４９】
なお、マッチングサーバ１００Ｂにおいてユーザ状態を複数選択せずに、図１２のステップＳ１０８において全てのユーザ状態を選択可能に表示させてもよい。
＜第３の実施の形態＞
【００５０】
本実施の形態にかかるネットワークシステム１は、電気機器２００の過去のログデータに基づいて電気機器２００のユーザ毎に、広告の出力に適した時間帯を設定するものである。たとえば、マッチングサーバ１００Ｂのメモリ１２０は、図１３に示すようなユーザ状態データ１２１Ｂを記憶する。すなわち、ユーザ状態データ１２１Ｂは、状態を判断するための電気機器２００の種類と、ユーザ状態の識別番号と、ユーザ状態の名称と、ユーザ状態として相応しい期間と、ユーザ状態を判定するためのルールなどを格納する。
【００５１】
そして、マッチングサーバ１００Ｂのメモリ１２０は、図１４に示すような、ユーザ個別データ１２５を記憶する。ユーザ個別データ１２５は、ユーザＩＤと、ユーザ状態を判断するための電気機器２００の種類と、ユーザ状態の識別番号と、ユーザ状態の開始タイミングと、ユーザ状態の終了タイミングとを格納する。ユーザ個別データ１２５は、曜日毎に７つ用意してもよいし、休日と平日の２つを用意してもよいし、天気に応じて用意したりしてもよい。
【００５２】
これによって、マッチングサーバ１００ＢのＣＰＵ１１０は、家電制御サーバ１００Ａからログデータを取得する度に、機器データ１２４を参照してユーザを特定し、ユーザ個別データ１２５におけるユーザ毎かつユーザ状態毎の開始タイミングや終了タイミングを更新していく。より詳細には、たとえば、過去４週間分のデータを蓄積したり、１０分間隔で操作の頻度などを集計したりすることが考えられる。
【００５３】
そして、本実施の形態においては、図７や図１１に置けるステップＳ１０６やステップＳ１１４において、ＣＰＵ１１０は、ジャンルデータ１２２を参照してユーザ状態を特定したり、ユーザ個別データ１２５を参照してユーザ状態に対応する広告の出力時間帯を特定したりする。
＜第４の実施の形態＞
【００５４】
なお、店舗毎やメーカ毎や商品毎やジャンル毎に、広告の出力に適したユーザ状態が設定・更新されていくものであってもよい。たとえば、マッチングサーバ１００Ｂのメモリ１２０は、図１５に示すような、店舗側個別データ１２６を記憶する。店舗側個別データ１２６には、店舗の識別情報と、メーカの識別情報と、商品の識別情報と、ジャンルの識別情報と、広告に適したユーザ状態との対応関係が格納される。
【００５５】
これによって、マッチングサーバ１００ＢのＣＰＵ１１０は、図１２のステップＳ１１０において通信端末３００から選択結果を受け付けると、店舗側個別データ１２６に、選択結果を蓄積していく。ただし、選択結果を受ける度に、ＣＰＵ１１０は、店舗側個別データ１２６の組み合わせ毎に優先度を上げていくような構成であってもよい。
＜第５の実施の形態＞
【００５６】
上記の実施の形態においては、店舗側で商品が入力されて、マッチングサーバ１００Ｂにおいてジャンルを特定するものであった。しかしながら、ユーザ状態や広告の出力方法がジャンルを介さずに商品やサービスに対応付けられていてもよい。あるいは、商品を介さずに、店舗側でジャンルが入力されるものであってもよい。
＜第６の実施の形態＞
【００５７】
また、店舗側において通信端末３００に毎回広告が入力されて当該広告が毎回アップロードされてもよいし、広告のテキストデータや画像データや商品やジャンルなどが広告サーバ１００Ｃに予め登録されてもよい。この場合は、店舗側において、通信端末３００に広告の識別情報を入力することによって、広告サーバ１００ＣのＣＰＵ１１０が広告のテキストデータや画像データや商品やジャンルを特定してマッチングサーバ１００Ｂに送信する。
＜第７の実施の形態＞
【００５８】
上記の実施の形態のネットワークシステム１の各装置の役割の一部または全部を他の装置が実行してもよい。たとえば、サーバ１００や電気機器２００や通信端末３００の各々の役割の一部または全部を別の装置が担ったり、それらの装置の１つ１つの役割の一部または全部を、複数の装置で分担したりしてもよい。具体的には、マッチングサーバ１００Ｂと家電制御サーバ１００Ａとが物理的に１つの装置であってもよいし、広告サーバ１００Ｃとマッチングサーバ１００Ｂとが物理的に１つの装置であってもよいし、広告サーバ１００Ｃが店舗毎のサーバや広告の元締めのサーバなどから構成されてもよいし、各サーバ１００の役割がクラウド上の複数のサーバに分散されてもよい。
＜まとめ＞
【００５９】
上記の実施の形態においては、通信端末３００と通信するための通信インターフェイス１６０と、通信インターフェイス１６０を介して取得した通信端末３００に入力された商品に基づいて、広告のための出力方法を選択するためのプロセッサ１１０と、を備えるサーバ１００が提供される。
【００６０】
好ましくは、出力方法は、広告を出力するための電気機器２００の種類を含む。
【００６１】
好ましくは、出力方法は、広告を出力するための期間を含む。
【００６２】
好ましくは、出力方法は、広告を出力するためのトリガーを含む。
【００６３】
好ましくは、出力方法は、ユーザ毎に設定される。
【００６４】
好ましくは、プロセッサ１１０は、通信端末３００に入力された商品に基づいて、広告のための出力方法を複数選択し、通信インターフェイス１６０を介して通信端末３００に複数の出力方法を選択可能に提示する。
【００６５】
好ましくは、プロセッサ１１０は、通信端末３００による過去の選択結果に基づいて、通信端末３００毎に広告のための出力方法を１または複数選択する。
【００６６】
上記の実施の形態においては、通信インターフェイス１６０を介して通信端末３００から商品の指定を受信するステップと、プロセッサ１１０が、指定された商品に基づいて広告のための出力方法を選択するステップと、を備えるサーバ１００における情報処理方法が提供される。
【００６７】
上記の実施の形態においては、電気機器２００を遠隔制御するための第１のサーバ１００Ａと、商品の入力を受け付けるための通信端末３００と、通信端末３００に入力された商品に基づいて広告のための出力方法を選択し、第１のサーバ１００Ａを介して、選択された出力方法によって電気機器２００に広告を出力させる第２のサーバ１００Ｂと、を備えるネットワークシステム１が提供される。
【００６８】
上記の実施の形態においては、通信端末３００が商品の入力を受け付けるステップと、第１のサーバが、通信端末３００に入力された商品に基づいて広告のための出力方法を選択するステップと、第２のサーバ１００Ｂが、選択された出力方法によって電気機器２００に広告を出力させるステップと、を備える情報処理方法が提供される。
【００６９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７０】
１        ：ネットワークシステム
１００    ：サーバ
１００Ａ  ：家電制御サーバ
１００Ｂ  ：マッチングサーバ
１００Ｃ  ：広告サーバ
１１０    ：ＣＰＵ
１２０    ：メモリ
１２１    ：ユーザ状態データ
１２１Ｂ  ：ユーザ状態データ
１２２    ：ジャンルデータ
１２２Ｂ  ：ジャンルデータ
１２３    ：機種データ
１２４    ：機器データ
１２５    ：ユーザ個別データ
１２６    ：店舗側個別データ
１４０    ：操作部
１６０    ：通信インターフェイス
２００    ：電気機器
２００Ａ  ：冷蔵庫
２００Ｂ  ：電子レンジ
２００Ｃ  ：洗濯機
２００Ｄ  ：エアコン
２１０    ：ＣＰＵ
２２０    ：メモリ
２３０    ：ディスプレイ
２４０    ：操作部
２６０    ：通信インターフェイス
２７０    ：スピーカ
２８０    ：リモコン受信部
２９０    ：機器駆動部
３００    ：通信端末
３００Ａ  ：パーソナルコンピュータ
３００Ｂ  ：タブレット
３１０    ：ＣＰＵ
３２０    ：メモリ
３３０    ：ディスプレイ
３４０    ：操作部
３６０    ：通信インターフェイス
３７０    ：スピーカ
３８０    ：マイク
【図１】
2019133413.tif 000003
【図２】
2019133413.tif 000004
【図３】
2019133413.tif 000005
【図４】
2019133413.tif 000006
【図５】
2019133413.tif 000007
【図６】
2019133413.tif 000008
【図７】
2019133413.tif 000009
【図８】
2019133413.tif 000010
【図９】
2019133413.tif 000011
【図１０】
2019133413.tif 000012
【図１１】
2019133413.tif 000013
【図１２】
2019133413.tif 000014
【図１３】
2019133413.tif 000015
【図１４】
2019133413.tif 000016
【図１５】
2019133413.tif 000017